(57)【特許請求の範囲】
【請求項１】
内蔵された電池を第１電子デバイスの電源として利用できるようにするワイヤレスマウスにおいて、
底面を有する本体と、
前記本体の前記底面に接続された主体と前記主体に収納された第１コネクターおよび第２コネクターとを含む媒体ユニットと、
前記本体内に設置され、前記媒体ユニットと電気接続された電池と、
前記媒体ユニットに設置され、前記本体との間に前記媒体ユニットが配置された無線伝送ユニットと、を備え、
前記第１コネクター又は前記第２コネクターに前記第１電子デバイスが接続された際に、前記電池を前記第１電子デバイスの電源として利用でき、
前記第１コネクターに前記第１電子デバイスが接続され且つ前記第２コネクターに前記第１電子デバイスとは異なる第２電子デバイスが接続された際に、前記第１電子デバイスと前記第２電子デバイスとが前記媒体ユニットを介してデータを伝送するワイヤレスマウス。
【請求項２】
前記媒体ユニットの前記主体が、さらに、２つの収容溝を有し、前記収容溝内に前記第１コネクターおよび前記第２コネクターがそれぞれ収納された請求項１記載のワイヤレスマウス。
【請求項３】
前記無線伝送ユニットの末端が、第３コネクターである請求項１記載のワイヤレスマウス。
【請求項４】
第１電子デバイスと、
前記第１電子デバイスに電気接続され、
底面を有する本体と、
前記本体の前記底面に接続された主体と前記主体に収納され、前記第１電子デバイスに接続された第１コネクターおよび第２コネクターとを含む媒体ユニットと、
前記本体内に設置されるとともに、前記媒体ユニットと電気接続され、且つ前記媒体ユニットによって前記第１電子デバイスに電力を伝送する電池と、
前記媒体ユニットに設置され、前記本体との間に前記媒体ユニットが配置された無線伝送ユニットとを含むワイヤレスマウスと、を備え、
前記第１コネクター又は前記第２コネクターに前記第１電子デバイスが接続された際に、前記電池を前記第１電子デバイスの電源として利用でき、
前記第１コネクターに前記第１電子デバイスが接続され且つ前記第２コネクターに前記第１電子デバイスとは異なる第２電子デバイスが接続された際に、前記第１電子デバイスと前記第２電子デバイスとが前記媒体ユニットを介してデータを伝送する充電システム。
【請求項５】
前記第１電子デバイスが、携帯型電子デバイスである請求項４記載の充電システム。
【請求項６】
前記媒体ユニットの前記主体が、さらに、２つの収容溝を有し、前記収容溝内に前記第１コネクターおよび前記第２コネクターが収納された請求項４記載の充電システム。
【請求項７】
前記無線伝送ユニットの末端が、第３コネクターである請求項４記載の充電システム。
【発明の詳細な説明】
【技術分野】
【０００１】
本発明は、ワイヤレスマウス(wireless mouse)に関するものであり、特に、多機能のワイヤレスマウスおよびこの多機能のワイヤレスマウスを使用する充電システムに関するものである。
【背景技術】
【０００２】
現在、市場に見られるマウスは、ワイヤレス（無線）マウスと有線マウスに分けられる。有線マウスは、その多くがＵＳＢコネクターによってコンピューターに接続され、コンピューターから有線マウスに電源を供給する。マウスは、ポインターを提供したり、あるいは、ユーザーがクリックすることによってプログラム（program）の機能をスタートする。ワイヤレスマウスは、無線の媒体ユニットを用いてマウス本体に信号を伝送するため、ＵＳＢコネクターのケーブルを使用しなくてもよく、且つワイヤレス信号の転送可能距離が比較的大きいことから、マウス本体とコンピューターの距離がケーブルの長さによって制限されない。
【先行技術文献】
【特許文献】
【０００３】
【特許文献１】特開２００８−１８７５０６号公報
【発明の概要】
【発明が解決しようとする課題】
【０００４】
しかしながら、マウスがポインターの機能を提供するだけでは単調すぎるため、研究者達は、マウスがいかにして更に多様化された機能を提供できるかについて積極的に研究している。
【課題を解決するための手段】
【０００５】
本発明は、多機能のワイヤレスマウスを提供する。
【０００６】
本発明は、上述した多機能ワイヤレスマウスで電子デバイスを充電することのできる充電システムを提供する。
【０００７】
本発明は、本体と、媒体ユニットと、電池と、無線伝送ユニットとを含むワイヤレスマウスを提供する。本体は、底面を有し、媒体ユニットは、主体と、第１コネクターと、第２コネクターとを含む。主体は、本体の底面に接続され、主体に第１コネクターおよび第２コネクターが収納される。電池は、本体内に設置され、媒体ユニットに電気接続される。無線伝送ユニットは、媒体ユニットに設置され、媒体ユニットは、無線伝送ユニットと本体の間に配置される。
【０００８】
本発明のワイヤレスマウスの実施形態中、上述した媒体ユニットの主体は、さらに、２つの収容溝を有し、収容溝内に第１コネクターおよび第２コネクターが収納される。
【０００９】
本発明のワイヤレスマウスの実施形態中、上述した無線伝送ユニットの末端は、第３コネクターである。
【００１０】
本発明は、また、電子デバイスと、上述したワイヤレスマウスとを含む充電システムを提供する。このワイヤレスマウスと電子デバイスは、互いに電気的に繋がっており、媒体ユニットの第１コネクターが電子デバイスに接続されることによって、電池の電源を媒体ユニットから電子デバイスに伝送する。
【００１１】
本発明の充電システムの実施形態中、上述した電子デバイスは、携帯型電子デバイスである。
【００１２】
本発明の充電システムの実施形態中、さらに、第２電子デバイスを含み、第２電子デバイスにワイヤレスマウスの媒体ユニットの第２コネクターが接続される。
【発明の効果】
【００１３】
以上のように、本発明のワイヤレスマウスは、無線伝送ユニットがコンピューターに設置されている時、ワイヤレスマウスを一般のマウスとして使用することができる。ワイヤレスマウスの無線伝送ユニットがコンピューターに設置されておらず、媒体ユニットの第１コネクターが電子デバイスに接続されている時は、ワイヤレスマウスの電池の電源を電子デバイスに伝送することができ、充電に使用することができる。また、ワイヤレスマウスの媒体ユニットの２つのコネクターがそれぞれ２つの電子デバイスと繋がっている時も、信号伝達の媒体として使用することができるため、２つの電子デバイスは、互いにデータを伝送することができる。
【００１４】
本発明の上記及び他の目的、特徴、および利点をより分かり易くするため、図面と併せた幾つかの実施形態を以下に説明する。
【図面の簡単な説明】
【００１５】
【図１】本発明の実施形態に係るワイヤレスマウスの概略図である。
【図２】ワイヤレスマウスの無線伝送ユニットを電子デバイスに差し込んだ時の概略図である。
【図３】図１のワイヤレスマウスを用いた充電システムの概略図である。
【図４】ワイヤレスマウスの媒体ユニットの２つのコネクターをそれぞれ２つの電子デバイスに接続した時の概略図である。
【発明を実施するための形態】
【００１６】
図１は、本発明の実施形態に係るワイヤレスマウスの概略図である。図１を参照すると、本実施形態のワイヤレスマウス１００は、例えば、光学式マウスであり、本体１１０と、媒体ユニット１２０と、電池１３０と、無線伝送ユニット１４０とを含む。本体１１０は、底面１１２を有し、本体１１０の底面１１２に媒体ユニット１２０が設置される。媒体ユニット１２０は、主体１２２と、第１コネクター１２４と、第２コネクター１２６とを含む。主体１２２は、本体１１０の底面１１２に接続され、主体１２２に第１コネクター１２４および第２コネクター１２６が収納される。電池１３０は、本体１１０内に設置され、媒体ユニット１２０と電気接続される。無線伝送ユニット１４０は、媒体ユニット１２０に設置され、媒体ユニット１２０は、無線伝送ユニット１４０と本体１１０の間に配置される。
【００１７】
詳しく説明すると、媒体ユニット１２０の主体１２２は、さらに、２つの収容溝１２２ａを有し、収容溝１２２ａ内に第１コネクター１２４および第２コネクター１２６がそれぞれ収納される。また、主体１２２は、さらに、主体１２２の底面（図示せず）に設置された凹溝１２２ｂを有し、この凹溝１２２ｂの中に無線伝送ユニット１４０が設置される。ここで言及すべきこととして、ユーザーが便利に使用できるよう、無線伝送ユニット１４０を媒体ユニット１２０の主体１２２から取り出して、凹溝１２２ｂの深さを無線伝送ユニット１４０の厚さよりも小さくしてもよい。つまり、無線伝送ユニット１４０が凹溝１２２ｂの中に収納されている時、無線伝送ユニット１４０は、凹溝１２２ｂよりも突出する。また、無線伝送ユニット１４０の末端は、第３コネクター１４２であり、その他の電子デバイスのコネクターに差し込むために用いられる。
【００１８】
図２は、ワイヤレスマウスの無線伝送ユニットを電子デバイスに差し込んだ時の概略図である。図１および図２を同時に参照すると、本実施形態のワイヤレスマウス１００の無線伝送ユニット１４０がノート型パソコン２００等の電子デバイスに差し込まれている時、ワイヤレスマウス１００の媒体ユニット１２０の主体１２２は、底面の突出物よりも突出しないため、主体１２２の底面がデスクトップ（desktop）でスムーズに動くことができる。ユーザーがこのワイヤレスマウス１００を操作すると、ノート型パソコン２００のスクリーン上に対応のポインターを見たり、あるいは、ワイヤレスマウス１００のファンクションキーをクリックしてプログラムを実行することができる。
【００１９】
図３は、図１のワイヤレスマウスを用いた充電システムの概略図である。図１および図３を同時に参照すると、本実施形態のワイヤレスマウス１００は、さらに、携帯型電子デバイス３００と接続することによって、携帯型電子デバイス３００の充電装置として使用することができ、充電システム４００を形成する。詳しく説明すると、ワイヤレスマウス１００の媒体ユニット１２０の第１コネクター１２４を電話、タブレットＰＣ（Tablet Personal Computer）、ＰＤＡ（Personal Digital Assistant）等の携帯型電子デバイスに接続し、ワイヤレスマウス１００の本体１１０内に電池１３０を設置することによって、電池１３０の電力を媒体ユニット１２０から電子デバイス３００に伝送することができる。この時、無線伝送ユニット１４０は、媒体ユニット１２０の主体１２２の凹溝１２２ｂの中に収納され、ワイヤレスマウス１００は電源供給としてのみ使用される。
【００２０】
ユーザーにとって、携帯電話等の携帯型電子デバイス３００は、連絡の手段として現代の生活に不可欠な電子デバイスである。必要があれば、ノート型パソコン２００を持って外出しなければならない時もあるが、一般的に、ワイヤレスマウス１００を別に携帯するのは、ノート型パソコン２００の使用を便利にするためである。しかしながら、ノート型パソコン２００の充電器を携帯しておらず、同時に携帯型電子デバイス３００の電力が切れそうな場合、ユーザーはワイヤレスマウス１００の使用を断念して、ノート型パソコン２００の電気量を節約し、ノート型パソコン２００を継続して使用できるようにする。つまり、本実施形態のワイヤレスマウス１００は、携帯型電子デバイス３００に電源を供給する充電装置として用いることができるため、ノート型パソコン２００を継続して使用できるだけでなく、携帯型電子デバイス３００の電力が切れそうな状況も解決することができる。
【００２１】
また、携帯型電子デバイスのチャージングステーション（charging station）は、台湾ではあまり普及しておらず、一般の携帯型電子デバイス３００は、ノート型パソコン等の比較的大型の電子デバイスを通して充電する必要があるため、外出が必要な時に電力の切れそうな携帯型電子デバイス３００を充電する時間がない場合、本実施形態のワイヤレスマウス１００と携帯型電子デバイス３００を同時に携帯して外出することによって、ワイヤレスマウス１００から携帯型電子デバイス３００に電池１３０の電力を提供することができる。このようにして、ユーザーが外出時に携帯しなければならない装置の重量を軽減することができるとともに、携帯型電子デバイス３００を充電して引き続き使用することもできる。また、ワイヤレスマウス１００内の電池１３０は交換が可能のため、電池１３０の電力がなくなった後、ユーザーは新しい電池１３０を購入すればよく、チャージングステーションがなければ充電できない状況と比較して、本実施形態のワイヤレスマウスは、携帯性と使用の便利性に優れている。
【００２２】
図４は、ワイヤレスマウスの媒体ユニットの２つのコネクターをそれぞれ２つの電子デバイスに接続した時の概略図である。図１および図４を同時に参照すると、本実施形態において、さらに、ワイヤレスマウス１００の媒体ユニット１２０の第１コネクター１２４を携帯型電子デバイス３００に接続し、第２コネクター１２６をノート型パソコン２００に接続してもよい。この時、ワイヤレスマウス１００を伝送媒体として使用して、ノート型パソコン２００および携帯型電子デバイス３００内の情報を相互に交換することができる。
【００２３】
以上のように、本発明のワイヤレスマウスは、一般のマウスの機能を備えると同時に、充電システムに応用して充電装置として使用することもできるため、多機能性と使用の便利性を備えている。
【００２４】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【符号の説明】
【００２５】
１００    ワイヤレスマウス
１１０    本体
１１２    底面
１２０    媒体ユニット
１２２    主体
１２２ａ    収容溝
１２２ｂ    凹溝
１２４    第１コネクター
１２６    第２コネクター
１３０    電池
１４０    無線伝送ユニット
１４２    第３コネクター
２００    ノート型パソコン
３００    携帯型電子デバイス
４００    充電システム
【図１】
0005148720.tif 000002
【図２】
0005148720.tif 000003
【図３】
0005148720.tif 000004
【図４】
0005148720.tif 000005